(57)【特許請求の範囲】
【請求項１】
無線インターフェースサブシステムと、
プロセッサ、および、前記プロセッサを動作させるための命令およびデータを有するメモリと
を備え、
前記プロセッサは、
第１の通信セッションの間に第１の周波数で第１の固定デバイスと通信して、
前記第１の周波数とは異なる第２の周波数で動作する第２の固定デバイスから受信される、前記第１の周波数で送信される１以上の第１のプリアンブルと、前記第２の周波数で送信される１以上の第２のプリアンブルとを含む一組のフレーム内の複数のプリアンブルを対象として前記第１の周波数で走査して、
第２の通信セッションのために前記１以上の第１のプリアンブルに基づいてハンドオーバーを実行し、
前記一組のフレームはそれぞれ、単一のプリアンブルを含み、
前記１以上の第１のプリアンブルはそれぞれ、前記第１の通信セッションとの間で干渉を発生させない独自のシーケンスを持つ、無線通信デバイス。
【請求項２】
前記プロセッサはさらに、
前記第１の固定デバイスとの間での前記第１の通信セッションを終了させる請求項１に記載の無線通信デバイス。
【請求項３】
前記プロセッサはさらに、
第３の周波数で動作する第３の固定デバイスからの複数のプリアンブルを対象として前記第１の周波数で走査する請求項１または請求項２に記載の無線通信デバイス。
【請求項４】
前記第３の固定デイバスからの前記第１の周波数での前記複数のプリアンブルはそれぞれ、前記第１の通信セッションとの間で干渉を発生させない独自のシーケンスを持つ請求項３に記載の無線通信デバイス。
【請求項５】
前記プロセッサはさらに、
前記１以上の第１のプリアンブルについて平均搬送波レベル対干渉／雑音比を決定する請求項１から請求項４のいずれか１つに記載の無線通信デバイス。
【請求項６】
前記プロセッサはさらに、
前記１以上の第１のプリアンブルについて、平均受信信号強度指標を決定する請求項１から請求項５のいずれか１つに記載の無線通信デバイス。
【請求項７】
それぞれが単一のプリアンブルを含む一組のフレームのうちの動作周波数である第１の周波数で送信される第１のプリアンブルを含む第１のフレームを送信する第１のアンテナと、
前記一組のフレームのうちの非動作周波数である第２の周波数で送信される第２のプリアンブルを含む第２のフレームを送信する第２のアンテナと
を備え、
前記第２のプリアンブルは、前記第２の周波数を使用する第２の無線固定デバイスの通信セッションとの間で干渉を発生させない独自のシーケンスを持つ、無線固定デバイス。
【請求項８】
前記第２のアンテナはさらに、前記一組のフレームのうち非動作周波数である第３の周波数で送信される第３のプリアンブルを含む第３のフレームを送信する請求項７に記載の無線固定デバイス。
【請求項９】
前記第２のアンテナは、前記第２の周波数での前記第２のプリアンブルの送信と、前記第３の周波数での前記第３のプリアンブルの送信とを交互に行う請求項８に記載の無線固定デバイス。
【請求項１０】
第１の通信セッションにおいて第１の周波数で第１の固定デバイスと通信する段階と、
前記第１の周波数とは異なる第２の周波数で動作する第２の固定デバイスから受信される、前記第１の周波数で送信される１以上の第１のプリアンブルと、前記第２の周波数で送信される１以上の第２のプリアンブルとを含む一組のフレーム内の複数のプリアンブルを対象として前記第１の周波数で走査する段階と、
前記１以上の第１のプリアンブルに基づいて第２の通信セッションのためにハンドオーバーを実行する段階と
を備え、
前記一組のフレームのそれぞれは、単一のプリアンブルを含み、
前記１以上の第１のプリアンブルはそれぞれ、前記第１の通信セッションとの間で干渉を発生させない独自のシーケンスを持つ、方法。
【請求項１１】
前記ハンドオーバーを実行する段階は、前記第１の通信セッションにおける前記第１の周波数から、前記第２の通信セッションのための前記第２の周波数に変更する段階を有する請求項１０に記載の方法。
【請求項１２】
前記第１の周波数で前記第１の固定デバイスと通信する段階は、前記複数のプリアンブルを対象として前記第１の周波数で走査する段階が実行されている間に実行される請求項１０または請求項１１に記載の方法。
【請求項１３】
第３の周波数で動作する第３の固定デバイスからの複数のプリアンブルを対象として前記第１の周波数で走査する段階をさらに備える請求項１０から請求項１２のいずれか１つに記載の方法。
【請求項１４】
前記第２の周波数は、前記第３の周波数と異なる請求項１３に記載の方法。
【請求項１５】
前記ハンドオーバーを実行する段階は、
前記１以上の第１のプリアンブルについて平均受信信号強度指標を決定する段階と、
前記１以上の第２のプリアンブルについて平均受信信号強度指標を決定する段階と、
前記１以上の第１のプリアンブルについての前記平均受信信号強度指標と、前記１以上の第２のプリアンブルについての前記平均受信信号強度指標とを比較する段階と
を有する請求項１３または請求項１４に記載の方法。
【請求項１６】
前記ハンドオーバーを実行する段階は、
前記１以上の第１のプリアンブルについて平均搬送波レベル対干渉／雑音比を決定する段階と、
前記１以上の第２のプリアンブルについて平均搬送波レベル対干渉／雑音比を決定する段階と、
前記１以上の第１のプリアンブルについての前記平均搬送波レベル対干渉／雑音比と、前記１以上の第２のプリアンブルについての前記平均搬送波レベル対干渉／雑音比とを比較する段階と
を有する請求項１３または請求項１４に記載の方法。
【発明の詳細な説明】
【背景技術】
【０００１】
携帯電話等のモバイルデバイスは通常、無線周波数（ＲＦ）スペクトルの一部を利用して、基地局等の固定デバイスと通信する。例えば、モバイルデバイスと固定デバイスとの間の通信は、１以上のＲＦ通信チャネルを介して行われる。モバイルデバイスは、セルラー方式ネットワーク間を移動するので、次に通信すべき固定デバイスを常に決定する。固定デバイスはそれぞれ、固定デバイス間の干渉の量を低減するべく、異なる周波数で信号を送信するのが普通である。この結果、モバイルデバイスは、隣接する固定デバイスが送信する信号を対象として走査する際に周波数を変更しなければならない。モバイルデバイスは、隣接する固定デバイスの周波数で走査している間、周波数が異なるので通常は動作することができない。モバイルデバイスは隣接する固定デバイスを対象とした走査を定期的に（例えば、５０ミリ秒）行うので、モバイルデバイスの動作は周波数を変更する必要があることによって制限されてしまう。
【図面の簡単な説明】
【０００２】
【図１】第１の通信システムの一実施形態を示す図である。
【図２】装置の一実施形態を示す図である。
【図３】フレーム構造の一実施形態を示す図である。
【図４】一例としてロジックフローの一実施形態を示す図である。
【発明を実施するための形態】
【０００３】
さまざまな実施形態は概して、一の周波数のままで周波数間割り当て走査を可能とする方法に関するとしてよい。例えば、一実施形態に係る装置は、無線インターフェースサブシステムと、メモリと、プロセッサとを備えるとしてよい。メモリは、第１の通信セッションの間に第１の周波数で第１の固定デバイスと通信するようにプロセッサを動作させるための命令およびデータを有するとしてよい。第２の固定デバイスからの１以上の第１のプリアンブルを第１の周波数で走査するとしてよい。第３の固定デバイスからの１以上の第２のプリアンブルを第１の周波数で走査するとしてよい。ある実施形態によると、第２の固定デバイスは第２の周波数で動作しているとしてよく、第３の固定デバイスは第３の周波数で動作しているとしてよい。当該装置は、第２の通信セッションについて、１以上の第１のプリアンブルおよび１以上の第２のプリアンブルに基づいてハンドオーバーを実行するプロセッサを備えるとしてよい。このようにして、モバイルデバイスは、現在通信を行っている固定デバイスとの間の通信を中断することなく、今後のハンドオーバーを決定するべく隣接する固定デバイスを走査するとしてよい。他の実施形態についても説明および請求するとしてよい。
【０００４】
インターネットは、携帯可能なデバイスでの用途が急激に拡大している。このような発展に伴って、高データレートでのユビキタス通信が必要とされている。直交周波数分割多重（ＯＦＤＭ）方式および直交周波数分割多重アクセス（ＯＦＤＭＡ）方式を利用するモバイルブロードバンド通信システムは、高データレート要件を満たす技術の主流として、頭角を現しつつある。
【０００５】
さまざまな実施形態には、固定デバイスおよびモバイルデバイス等のさまざまな種類の無線デバイスを備えるモバイルブロードバンド通信システムが含まれるとしてよい。モバイル通信システムの一例は、ＯＦＤＭ方式および／またはＯＦＤＭＡ方式を利用するセルラー方式無線電話システムを含むとしてよい。固定デバイスの一例は、セルラー方式無線電話システム用の固定機器、例えば、基地局またはノードＢを含むとしてよい。モバイルデバイスの一例は、セルラー方式無線電話システム用の可動式加入局（ＭＳＳ）を含むとしてよい。モバイルデバイスの一例は、無線通信デバイスまたは移動局を含むとしてよい。
【０００６】
固定デバイスおよびモバイルデバイスは、通信を行って、チャネル情報をやり取りするとしてよい。やり取りされる情報にはさらに、他の情報に加えて、セルの種類、ローディング、位置、搬送波レベル対干渉／雑音比（ＣＩＮＲ）、および、受信信号強度指標（ＲＳＳＩ）が含まれるとしてよい。実施形態はこれに限定されるものではない。
【０００７】
モバイルデバイスは、セルラー方式ネットワーク内において第１の周波数で第１の固定デバイスと通信するとしてよい。モバイルデバイスは、第１の固定デバイスと通信している間、移動しているとしてよく、新しいセルラー方式ネットワークにおいて通信すべき新しい固定デバイスを特定する必要が出てくる場合がある。この結果、モバイルデバイスは常に、次に通信すべき隣接する固定デバイスを対象として走査を行っている。
【０００８】
さまざまな実施形態では、１以上の構成要素を備えるとしてよい。一の構成要素は、所定の処理を実行するように構成されている任意の構造を持つとしてよい。各構成要素は、所与の一連の構成パラメータまたは性能上の制約を満たすべく適宜、ハードウェア、ソフトウェア、または、これらを任意に組み合わせたものとして実現するとしてよい。実施形態は、限られた数の構成要素が所定のトポロジーで構成されているものとして一例を説明するが、所与の実装に応じて別のトポロジーで構成して、構成要素の数を増減させることを含むとしてよい。尚、「一実施形態」または「ある実施形態」という記載は当該実施形態に関連付けて説明している特定の特徴、構造または特性が少なくとも１つの実施形態に含まれることを意味しているものと考えられたい。本明細書において「一実施形態において」という表現が繰り返し用いられていても、必ずしも全てが同じ実施形態を意味するものではない。
【０００９】
図１は、通信システム１００の一実施形態を示すブロック図である。さまざまな実施形態によると、通信システム１００は、複数のノードを備えるとしてよい。ノードは通常、通信システム１００において情報をやり取りする任意の物理エンティティまたは論理エンティティを含むとしてよく、所与の一連の構成パラメータまたは性能上の制約を満たすべく適宜、ハードウェア、ソフトウェアまたはこれらを任意に組み合わせたものとして実現されるとしてよい。図１では限られた数のノードを一例として図示しているが、所与の実施例に応じてノードの数を増減させるものと認められ得る。
【００１０】
さまざまな実施形態によると、通信システム１００は、有線通信システム、無線通信システム、または、これらの組み合わせを含むか、その一部を成しているとしてよい。例えば、通信システム１００は、１以上の種類の有線通信リンクを介して情報をやり取りするように構成されている１以上のノードを備えるとしてよい。有線通信リンクの例を挙げると、これらに限定されないが、ワイヤ、ケーブル、バス、プリント配線基板（ＰＣＢ）、イーサネット（登録商標）接続、ピア・ツー・ピア（Ｐ２Ｐ）接続、バックプレーン、スイッチファブリック、半導体材料、ツイストペアワイヤ、同軸ケーブル、光ファイバ接続等が含まれるとしてよい。通信システム１００はさらに、無線共有媒体１４０等の１以上の種類の無線通信リンクを介して情報をやり取りするように構成されている１以上のノードを備えるとしてよい。無線通信リンクの例を挙げると、これらに限定されないが、無線チャネル、赤外線チャネル、無線周波数（ＲＦ）チャネル、ワイヤレス・フィデリティ（ＷｉＦｉ）チャネル、ＲＦスペクトルの一部、および／または、１以上の認可周波数帯域または認可不要周波数帯域が含まれるとしてよい。後者の場合、無線ノードは、１以上の無線インターフェースサブシステムおよび／または無線通信用の構成要素、例えば、１以上の無線機器、送信機、受信機、送受信機、チップセット、増幅器、フィルタ、制御ロジック、ネットワークインターフェースカード（ＮＩＣ）、アンテナ、アンテナアレイ等を含むとしてよい。アンテナの例を挙げると、これらに限定されないが、内部アンテナ、全方向性アンテナ、モノポールアンテナ、ダイポールアンテナ、エンドフェッドアンテナ、円偏光アンテナ、マイクロストリップアンテナ、ダイバーシチアンテナ、デュアルアンテナ、アンテナアレイ等が含まれるとしてよい。一実施形態によると、所定のデバイスは、さまざまな適応型アンテナ技術および空間ダイバーシチ技術を実現している複数のアンテナから構成されるアンテナアレイを含むとしてよい。
【００１１】
図１に図示している実施形態から分かるように、通信システム１００は、１以上の固定デバイス１０５、１１０、および、１以上のモバイルデバイス１１５、１２０等、複数の構成要素を備えており、これらは全て無線共有媒体１４０を介して通信を行う。固定デバイス１０５で図示しているように、固定デバイスは、２以上の無線インターフェースサブシステム１２５、１３０を有するとしてよい。モバイルデバイス１１５で図示しているように、モバイルデバイス１１５は、プロセッサ１３５と、メモリユニット１４０と、無線インターフェースサブシステム１４５とを有するとしてよい。しかし、実施形態は、図１に図示している構成要素に限定されるものではない。
【００１２】
さまざまな実施形態によると、通信システム１００は、モバイルブロードバンド通信システムを含むか、モバイルブロードバンド通信システムとして実現されるとしてよい。モバイルブロードバンド通信システムの例を挙げると、これらに限定されないが、さまざまな米国電気電子学会（ＩＥＥＥ）規格に準拠したシステムが含まれる。例えば、ワイヤレスローカルエリアネットワーク（ＷＬＡＮ）用のＩＥＥＥ８０２．１１規格およびその修正版、ワイヤレスメトロポリタンエリアネットワーク（ＷＭＡＮ）用のＩＥＥＥ８０２．１６規格およびその修正版、ＩＥＥＥ８０２．２０規格またはモバイルブロードバンドワイヤレスアクセス（ＭＢＷＡ）規格およびその修正版等が含まれる。一実施形態によると、例えば、通信システム１００は、ワールドワイド・インターオペラビリティ・フォー・マイクロウェーブ・アクセス（ＷｉＭＡＸ）規格またはＷｉＭＡＸ  ＩＩ規格に応じて実現されるとしてよい。ＷｉＭＡＸは、ＩＥＥＥ８０２．１６規格に基づく無線ブロードバンド技術である。ＩＥＥＥ８０２．１６規格の修正版であるＩＥＥＥ８０２．１６−２００４および８０２．１６ｅ（８０２．１６ｅ  Ｃまたは２／Ｄ３−２００５）は、物理（ＰＨＹ）層の仕様を定義している。ＷｉＭＡＸ  ＩＩは、国際移動通信（ＩＭＴ）のＡｄｖａｎｃｅｄ  第４世代（４Ｇ）規格群のための、ＩＥＥＥ８０２．１６ｍおよびＩＥＥＥ８０２．１６ｊの規格案に基づいた高度な４Ｇシステムである。一部の実施形態では一例として通信システム１００をＷｉＭＡＸまたはＷｉＭＡＸ  ＩＩに準拠したシステムまたは規格として説明しているが、これに限定されることなく、通信システム１００はさまざまなその他の種類のモバイルブロードバンド通信システムおよびモバイルブロードバンド通信規格として実現され得るものと考えられ得る。例えば、ユニバーサル・モバイル・テレコミュニケーションズ・システム（ＵＭＴＳ）システムの規格群およびその修正版、符号分割多重アクセス（ＣＤＭＡ）２０００システムの規格群およびその修正版（例えば、ＣＤＭＡ２０００  １×ＲＴＴ、ＣＤＭＡ２０００  ＥＶ−ＤＯ、ＣＤＭＡ  ＥＶ−ＤＶ等）、欧州電気通信標準化機構（ＥＴＳＩ）のブロードバンド・ラジオ・アクセス・ネットワーク（ＢＲＡＮ）グループが作成したハイ・パフォーマンス・ラジオ・メトロポリタン・エリア・ネットワーク（ＨＩＰＥＲＭＡＮ）システムの規格群およびその修正版、ワイヤレスブロードバンド（ＷｉＢｒｏ）システムの規格群およびその修正版、ジェネラル・パケット・ラジオ・サービス（ＧＰＲＳ）を含むグローバル・システム・フォー・モバイル・コミュニケーションズ（ＧＳＭ（登録商標））に準拠したシステム（ＧＳＭ（登録商標）／ＧＰＲＳ）の規格群およびその修正版、エンハンスド・データ・レート・フォー・グローバル・エボリューション（ＥＤＧＥ）システムの規格群およびその修正版、高速ダウンリンクパケットアクセス（ＨＳＤＰＡ）システムの規格群およびその修正版、高速直交周波数分割多重（ＯＦＤＭ）パケットアクセス（ＨＳＯＰＡ）システムの規格群およびその修正版、高速アップリンクパケットアクセス（ＨＳＵＰＡ）システムの規格群およびその修正版、第３世代パートナーシップ・プロジェクト（３ＧＰＰ）Ｒｅｌ．８およびＲｅｌ．９のロング・ターム：エボリューション（ＬＴＥ）／システム・アーキテクチャ・エボリューション（ＳＡＥ）等として実現され得る。実施形態はこれに限定されない。
【００１３】
さまざまな実施形態によると、通信システム１００は、無線機能を持つ固定デバイス１１０を備えるとしてよい。固定デバイス１１０は、１以上のモバイルデバイス等、別の無線デバイスに対して接続を構築するか、または、情報を提供する汎用機器群を有するとしてよい。固定デバイス１０５、１１０の例を挙げると、無線アクセスポイント（ＡＰ）、基地局またはノードＢ、ルータ、スイッチ、ハブ、ゲートウェイ等が含まれるとしてよい。一実施形態によると、例えば、固定デバイスは、セルラー方式無線電話システムまたはモバイルブロードバンド通信システムのための基地局またはノードＢを有するとしてよい。固定デバイス１０５、１１０はさらに、ネットワーク（不図示）に対するアクセスを提供するとしてよい。ネットワークは、例えば、インターネット等のパケットネットワーク、社内ネットワークまたは企業ネットワーク、公衆電話交換回線網（ＰＳＴＮ）等の音声ネットワーク等を含むとしてよい。一部の実施形態は一例として固定デバイス１０５、１１０が基地局またはノードＢとして実現されているものとして説明するが、他の実施形態では他の無線デバイスを同様に利用して実現し得るものと考えられたい。実施形態はこれに限定されない。
【００１４】
さまざまな実施形態によると、通信システム１００は、無線機能を持つ一群のモバイルデバイス１１５、１２０を備えるとしてよい。モバイルデバイス１１５、１２０は、他のモバイルデバイスまたは固定デバイス（例えば、固定デバイス１１０）等、他の無線デバイスに対する接続を構築する汎用機器群を有するとしてよい。モバイルデバイス１１５、１２０の例を挙げると、これらに限定されないが、コンピュータ、サーバ、ワークステーション、ノート型コンピュータ、手持ちコンピュータ、電話、携帯電話、携帯情報端末（ＰＤＡ）、携帯電話およびＰＤＡを組み合わせたもの等が含まれるとしてよい。一実施形態によると、例えば、モバイルデバイス１１５、１２０は、ＷＭＡＮ用の可動式加入局（ＭＳＳ）として実現されるとしてよい。一部の実施形態は一例としてモバイルデバイス１１５、１２０をＭＳＳとして実現したものとして説明するが、他の実施形態は他の無線デバイスを同様に用いて実現し得るものと考えられたい。実施形態はこれに限定されない。
【００１５】
図示しているモバイルデバイス１１５から分かるように、モバイルデバイス１１５は、プロセッサ１３５を有するとしてよい。プロセッサ１３５は、任意のプロセッサとして実現されているとしてよく、例えば、複合命令セットコンピュータ（ＣＩＳＣ）マイクロプロセッサ、縮小命令セットコンピュータ（ＲＩＳＣ）マイクロプロセッサ、超長命令語（ＶＬＩＷ）マイクロプロセッサ、複数の命令群の組み合わせを実装するプロセッサ、または、その他のプロセッサデバイスとして実現されているとしてよい。一実施形態によると、例えば、プロセッサ１３５は、インテル（登録商標）コーポレーション（米国、カリフォルニア州、サンタクラーラ）社製のプロセッサ等、汎用プロセッサとして実現されているとしてよい。プロセッサ１３５は、専用プロセッサとして実現されるとしてもよい。例えば、コントローラ、マイクロコントローラ、混載プロセッサ、デジタルシグナルプロセッサ（ＤＳＰ）、ネットワークプロセッサ、媒体プロセッサ、入出力（Ｉ／Ｏ）プロセッサ等として実現されるとしてもよい。実施形態はこれに限定されない。
【００１６】
さらに図示しているモバイルデバイス１１５から分かるように、モバイルデバイス１１５はメモリユニット１４０を有するとしてよい。メモリ１４０は、データを格納可能な任意の機械可読媒体またはコンピュータ可読媒体を含むとしてよく、揮発性メモリおよび不揮発性メモリの両方を含むとしてよい。例えば、メモリ１４０は、リードオンリーメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、フラッシュメモリ、強誘電体ポリマーメモリ等のポリマーメモリ、オボニックメモリ、相変化メモリまたは強誘電体メモリ、シリコン−酸化物−窒化物−酸化物−シリコン（ＳＯＮＯＳ）メモリ、磁気カードまたは光カード、または、情報の格納に適している任意のその他の種類の媒体を含むとしてよい。尚、メモリ１４０の一部または全体は、プロセッサ１３５と同じ集積回路に含まれているとしてもよく、またはこれに代えて、メモリ１４０の一部または全体は、プロセッサ１３５の集積回路の外部にある集積回路または他の媒体、例えば、ハードディスクドライブに配されるものであってもよいことに留意されたい。ある実施形態によると、メモリは、プロセッサを動作させるためのデータおよび命令を含むとしてよい。実施形態はこれに限定されない。
【００１７】
さまざまな実施形態によると、モバイルデバイス１１５および固定デバイス１０５は、無線インターフェースサブシステム１２５、１３０、１４５のそれぞれを介して無線共有媒体１４０で情報をやり取りするとしてよい。無線共有媒体１４０は、ＲＦスペクトルのうち割り当てられた１以上の帯域を含むとしてよい。ＲＦスペクトルのうち割り当てられた１以上の帯域は、連続していてもしていなくてもよい。一部の実施形態によると、無線インターフェースサブシステム１２５、１３０、１４５は、例えば、ＷｉＭＡＸシステムまたはＷｉＭＡＸ  ＩＩシステムが利用するさまざまなマルチキャリア方式を利用して無線共有媒体１４０を介して情報をやり取りするとしてよい。例えば、無線インターフェースサブシステム１２５、１３０、１４５は、ビームフォーミング、空間ダイバーシチ、または、周波数ダイバーシチを実行するべくさまざまな多入力多出力（ＭＩＭＯ）技術を利用するとしてよい。
【００１８】
動作の概略を説明すると、無線インターフェースサブシステム１２５、１３０、１４５は、１以上の通信チャネルを用いて情報をやり取りするとしてよい。通信チャネルは、所定の周波数群、タイムスロット群、コード群、または、これらの組み合わせであってよい。
【００１９】
図２は、さまざまな固定デバイスと通信しているモバイルデバイスを開示している図である。通信システム２００は、モバイルデバイス２２０が移動しており、第１の固定デバイスから第２の固定デバイスへのハンドオーバーを処理する場合に、通信動作を維持するように構成されているモバイルブロードバンド通信システムである。ある実施形態によると、モバイルデバイス２２０は、ネットワークセル２２５において固定デバイス２０５と通信中であるとしてよい。
【００２０】
ある実施形態によると、固定デバイス２０５、２１０、２１５はそれぞれ、異なる通信チャネル周波数で動作するとしてよい。固定デバイス２０５、２１０、２１５は、間で干渉が発生しないようにするべく、異なる周波数で動作するとしてよい。ある実施形態によると、モバイルデバイス２２０および第１の固定デバイス２０５が第１の周波数で通信を行っている間、第１の隣接する固定デバイス２１０は、第２の周波数で信号を送信しており、第２の隣接する固定デバイス２１５は第３の周波数で信号を送信するとしてよい。
【００２１】
モバイルデバイス２２０は、新しいセルラー方式ネットワーク２３０、２３５に到達すると、ハンドオーバーについて判断するべく、隣接する固定デバイスを対象とした走査を行うとしてよい。ある実施形態によると、ハンドオーバーに関する判断は、最良の信号を決定するべくモバイルデバイス２２０が固定デバイス２１０、２１５を対象として走査を行うことによって、行われるとしてよい。最良の信号は、セルの種類、位置、ローディング、搬送波レベル対干渉／雑音比（ＣＩＮＲ）および受信信号強度指標（ＲＳＳＩ）等の指標を用いて決定するとしてよい。ある実施形態によると、一の指標は、ＭＩＭＯをサポート可能なチャネル機能であってよい。実施形態はこれに限定されない。
【００２２】
今後のハンドオーバーの際にどの固定デバイスを使用すべきかモバイルデバイスが判断できるように、各固定デバイスの周波数は複数回走査されるとしてよい。モバイルデバイスは、さまざまな結果の平均を取るために、各信号の指標を複数回試験するとしてよい。各周波数を複数回走査して指標の平均を取ることによって、一時的なフェージング効果によって情報の精度が下がってしまうことなく周波数を比較し得る。現時点においては、モバイルデバイスは、固定デバイスの走査を行うためには、対象となる固定デバイスの周波数に切り替える必要がある。モバイルデバイスが現在通信に利用している周波数以外の周波数に切り替わると、当該モバイルデバイスは動作できなくなってしまう場合がある。この結果、当該モバイルデバイスが異なる周波数で動作している間は情報の送受信は行えないので、情報の送受信に遅延が発生してしまう。走査期間の間の時間および各周波数に切り替わるための時間が比較的長時間かかるために、全ての隣接する固定デバイスの走査には長時間が必要となってしまう。これは特に、一時的なフェージング効果を平均化して除去するために隣接する固定デバイスのそれぞれを複数回にわたって走査する場合に当てはまる。この結果、モバイルデバイスは地理的領域を高速に移動している最中であり走査すべき隣接する固定デバイスが多い場合があるので、モバイルデバイスに対してサービスを提供する固定デバイスが確実に最良の固定デバイスとなることが困難となる。また、送信するフレームは、隣接する固定デバイスを測定するためだけに送信されるので、情報が転送されておらずエネルギーが浪費されてしまう。
【００２３】
上記およびその他の問題を解決するべく、隣接する固定デバイス２１５、２２０は、複数の周波数で複数の信号を発信するとしてよい。図３では、フレームのプリアンブルにおいて複数の周波数を発信する固定デバイスを開示している。ある実施形態によると、固定デバイスは、デジタルデータ送信によって無線方式でデータを送信するとしてよい。ある実施形態によると、データは１以上のフレームとして送信されるとしてよい。フレームは、リンク層プロトコルからのデジタルデータ送信である。フレームは、プリアンブル、アップロードパケット、および、ダウンロードパケットを含むとしてよい。
【００２４】
本明細書で用いる場合、「パケット」という用語は、ノード間またはステーション間、または、ネットワークを介して、送信またはルーティングされるデータ単位を含むとしてよい。本明細書で用いる場合、「パケット」という用語は、フレーム、プロトコルデータユニット、または、その他のデータ単位を含むとしてよい。パケットは、例えば、１以上のアドレスフィールド、制御フィールド、および、データを含む一連のビットを含むとしてよい。
【００２５】
ある実施形態によると、固定デバイスは、周波数Ａで動作するとしてよい。図３を参照して説明すると、固定デバイスは、複数のフレーム３５０を発信し、各フレーム３５０は、プリアンブル３０５、ダウンロードパケット３１０、および、アップロードパケット３１５を含むとしてよい。実施形態はこれに限定されない。固定デバイスは、データ送信中に、複数のフレームを送信するとしてよい。ある実施形態によると、これらの情報は無線インターフェースサブシステムから発信されるとしてよい。ある実施形態によると、無線インターフェースサブシステムは、第１のアンテナを含むとしてよい。
【００２６】
ある実施形態によると、固定デバイスは、これに限定されないが、第２のアンテナ等の別の無線インターフェースサブシステムで１以上の別の周波数を用いてプリアンブルを送信するとしてよい。ある実施形態によると、固定デバイスは、第２のアンテナを用いて、複数の非動作周波数で１以上のプリアンブルを送信するとしてよい。固定デバイスが非動作周波数で１以上のプリアンブルを送信する場合、再利用率（ｒｅｓｕｓｅ）は１より大きい。例えば、図３において、固定デバイスは周波数Ｂおよび周波数Ｃを第２のアンテナから送信するとしてよい。固定デバイスは、第１のフレーム３５０において、周波数Ｂでプリアンブル３２０を送信するとしてよい。固定デバイスはこの後、第２のフレーム３５５において周波数Ｃでプリアンブル３２５を送信するとしてよい。ある実施形態によると、第２のアンテナは、プリアンブルを送信した後、第１の固定デバイスからアップロードパケットおよびダウンロードパケットを送信するとしてよい。
【００２７】
ある実施形態によると、固定デバイスのアンテナは、１フレームにつき１つのプリアンブルしか送信しないとしてよい。しかし、アンテナは、複数の非動作周波数（例えば、周波数Ｂおよび周波数Ｃ）でプリアンブルを送信するとしてよい。ある実施形態によると、固定デバイスのアンテナは、複数の異なるフレームにおいて複数の異なる周波数でプリアンブルを送信するとしてよい。ある実施形態によると、固定デバイスのアンテナは、フレームのプリアンブルで送出される周波数を交互に切り替えるとしてよい。例えば、図３において、周波数Ｂに対応付けられているプリアンブル３２０、３３０は、偶数番号のフレームで送信される一方、周波数Ｃに対応付けられているプリアンブル３２５は、奇数番号のフレームで送信されるとしてよい。固定デバイスが３つの異なる周波数でプリアンブルを発信する場合、周波数再利用率は３である。
【００２８】
固定デバイスに複数の周波数でプリアンブルを送信させることによって、モバイルデバイスは、現在通信を行っている周波数でプリアンブルを受信するとしてよい。例えば、図３を参照して説明すると、モバイルデバイスは、周波数Ｃで通信を行う場合、１フレームおきに固定デバイスからプリアンブルを受信するとしてよい。
【００２９】
ある実施形態によると、固定デバイスは、第２のアンテナから２つの異なる周波数でプリアンブルを送信するとしてよい。ある実施形態によると、第１のプリアンブルは、データ通信の第１のフレームで送信され、第２のプリアンブルは、データ通信の第２のフレームで送信されるとしてよい。ある実施形態によると、第１のプリアンブルは、偶数番号のデータ通信フレームで送信され、第２のプリアンブルは、奇数番号のデータ通信フレームで送信されるとしてよい。ある実施形態によると、第１のプリアンブルは、奇数番号のデータ通信フレームで送信され、第２のプリアンブルは、偶数番号のデータ通信フレームで送信されるとしてよい。
【００３０】
別の実施形態によると、固定デバイスは、第２のアンテナから３つ以上の周波数でプリアンブルを送信するとしてよい。ある実施形態によると、固定デバイスは、５つの異なる周波数で送信するとしてよい。しかし、実施形態は本例に限定されない。固定デバイスは、第１のアンテナおよび第２のアンテナを有するとしてよい。第１の周波数Ａは、動作周波数であるとしてよい。第１のアンテナは、周波数Ａで、プリアンブルと、アップロードパケットと、ダウンロードパケットとを含むフレームを１以上送信するとしてよい。第２のアンテナは、フレーム毎に他の４つの周波数でプリアンブルを送信するとしてよい。例えば、第１のフレームは周波数Ｂのプリアンブルを含むとしてよく、第２のフレームは周波数Ｃのプリアンブルを含むとしてよく、第３のフレームは周波数Ｄのプリアンブルを含むとしてよく、第４のフレームは周波数Ｅのプリアンブルを含むとしてよい。この結果、４つのフレームが経過した後（つまり、周波数の数から１を減算した値）、固定デバイスは、全ての周波数でプリアンブルをブロードキャストしたことになる。４番目のフレームの後、このシーケンスが繰り返されるとしてよく、５番目のフレームでは周波数Ｂのプリアンブルを含むことになる。
【００３１】
プリアンブルがさまざまな周波数でブロードキャストされている間、固定デバイスと共に動作しているモバイルデバイスは、動作周波数を維持しつつも、他の固定デバイスを走査してハンドオーバーに関して決断を下すために隣接するセルからの信号を測定することができる。ある実施形態によると、モバイルデバイスは、別の周波数に切り替わることなく、隣接する固定デバイスからの周波数を走査するとしてよい。
【００３２】
例えば、モバイルデバイスは、第１の周波数で第１の固定デバイスと通信するとしてよい。第２の固定デバイスは、第２の周波数で通信するとしてよい。第２の固定デバイスは、動作周波数である第２の周波数でプリアンブルを送信するとしてよい。また、第２の固定デバイスは、例えば、これに限定されないが、アンテナ等の専用通信インターフェースから第１の周波数でプリアンブルを送信するとしてよい。モバイルデバイスは、現在第１の周波数で動作しているので、第１の周波数で第２の固定デバイスのプリアンブルを受信する。ある実施形態によると、モバイルデバイスは、第１の周波数での第１の固定デバイスとの通信を中断することなく、隣接する固定デバイスから送信されたプリアンブルを走査するとしてよい。ある実施形態によると、モバイルデバイスは常に、１以上の固定デバイスから送信されるプリアンブルを走査するとしてよい。モバイルデバイスは走査処理のために周波数を変更する必要がないので、走査処理はより短時間で完了されるとしてよく、モバイルデバイスと現在通信を行っている固定デバイスとの間の通信が中断されることもない。
【００３３】
走査処理の間、および／または、走査処理の後、モバイルデバイスは、第１の周波数で第２の固定デバイスから受信したプリアンブルを測定するとしてよい。モバイルデバイスは、第１の周波数で第２の固定デバイスから受信するプリアンブルを複数回にわたって走査するとしてよい。モバイルデバイスは、固定デバイスから送信される複数のプリアンブルを測定するので、固定デバイスから送信される信号について正確な測定結果を得るとしてよい。各周波数を複数回にわたって走査して得た情報を平均化することによって、一時的なフェージング効果による情報の精度低下を抑制して、周波数を比較し得る。
【００３４】
モバイルデバイスは、２以上の固定デバイスの非動作周波数でプリアンブルを受信している間、受信したプリアンブルを測定して、ハンドオーバーを実行する際にどの固定デバイスを選択するかを判断するとしてよい。固定デバイスの非動作周波数で送信されるプリアンブルを平均化することによって、固定デバイスから送信される信号について正確な測定結果が得られるとしてよい。
【００３５】
ある実施形態によると、複数の値を平均化して、これらに限定されないが、セルの種類、ローディング、位置、搬送波レベル対干渉／雑音比（ＣＩＮＲ）および受信信号強度指標（ＲＳＳＩ）等、さまざまな指標を決定するとしてよい。ある実施形態によると、モバイルデバイスは、搬送波レベル対干渉／雑音比（ＣＩＮＲ）値および／または受信信号強度指標（ＲＳＳＩ）値に基づいて、ハンドオーバー用にどのデバイスを選択すべきかを決定するとしてよい。例えば、ＲＳＳＩが最も高い固定デバイスをハンドオーバーの対象として選択する。別の例では、ＣＩＮＲが最も高い固定デバイスをハンドオーバーの対象として選択する。ある実施形態によると、ＣＩＮＲ、ＲＳＳＩおよび／またはスペクトル効率が最良値を取る固定デバイスが、ハンドオーバーの対象となる固定デバイスであるとしてよい。
【００３６】
ある実施形態によると、モバイルデバイスがハンドオーバーを実行するとしてよい。ハンドオーバー手順は、モバイルデバイスまたは固定デバイスによって開始されるとしてよい。ある実施形態によると、現在モバイルデバイスとやり取りを行っている固定デバイスは、ＣＩＮＲしきい値および／またはＲＳＳＩしきい値を超えると、隣接する固定デバイスを走査するようにモバイルデバイスに指示するとしてよい。ある実施形態によると、モバイルデバイスは、コマンドに基づいて、ハンドオーバーのための走査処理を開始するとしてよい。実施形態はこれに限定されない。
【００３７】
ある実施形態によると、モバイルデバイスは、固定デバイスにハンドオーバー開始メッセージを送信することによって、ハンドオーバーを開始するとしてよい。ハンドオーバー開始メッセージは、モバイルデバイスが現在通信中の固定デバイスに対して送信されるとしてよい。固定デバイスは、モバイルデバイスに対してハンドオーバーコマンドメッセージを送信することによって、ハンドオーバー開始メッセージに応答するとしてよい。これに代えて、モバイルデバイスと通信中の固定デバイスは、モバイルデバイスに対してハンドオーバー開始メッセージを送信することによってハンドオーバーを開始するとてもよい。モバイルデバイスは、ハンドオーバー開始メッセージに応答するとしてよい。ハンドオーバー開始メッセージは、ハンドオーバーの対象として選択された１以上の隣接する固定デバイスを含むとしてよい。ハンドオーバー開始メッセージに含まれている固定デバイスが１つの場合、モバイルデバイスは、この固定デバイスの指示にしたがってハンドオーバーを実行するとしてよい。ハンドオーバー開始メッセージに含まれている固定デバイスが複数の場合、モバイルデバイスは、固定デバイスを選択して、どの固定デバイスが選択されたかを記述したハンドオーバー指示メッセージを現在通信中の固定デバイスに送信しなければならない。
【００３８】
ある実施形態によると、ハンドオーバー準備段階において、現在の固定デバイスは、ハンドオーバーの対象として選択された固定デバイスと通信するとしてよい。選択された固定デバイスは、ハンドオーバーを最適化するべく、バックボーンネットワークを介して、現在の固定デバイスから、モバイルデバイスに関する情報を取得するとしてよい。ある実施形態によると、選択された固定デバイスの専用測距リソースを、非競合方式のハンドオーバー測距処理を容易にするためにモバイルデバイス用に確保するとしてよい。別の実施形態によると、測距は、ハンドオーバーの前に完了させるとしてよい。選択された固定デバイスが１つのみである場合、ハンドオーバー準備段階は、現在通信中の固定デバイスが、ハンドオーバーコマンド制御信号伝達によって、ハンドオーバー判断をモバイルデバイスに通知すると、完了するとしてよい。選択された固定デバイスが複数ある場合、ハンドオーバー準備段階は、モバイルデバイスが、ハンドオーバー指示制御信号伝達によって、選択された固定デバイスを現在通信中の固定デバイスに通知すると、完了するとしてよい。
【００３９】
ハンドオーバー実行時は、ハンドオーバーコマンド制御信号伝達中の特定のタイミングにおいて、モバイルデバイスは、選択された固定デバイスにおいてネットワーク再加入処理を実行するとしてよい。選択された固定デバイスにおけるネットワーク再加入中にモバイルデバイスと現在通信中の固定デバイスとの間の通信が維持されなくなると、現在通信中の固定デバイスは、この特定のタイミングにおいてモバイルデバイスに対して送信用のリソースの割り当てを中止するとしてよい。モバイルデバイスは、ハンドオーバーコマンド制御信号伝達によって現在通信中の固定デバイスから指示されると、現在通信中の固定デバイスとの通信を継続しつつ、選択された固定デバイスとの間で、この特定のタイミングにおいて、ネットワーク再加入処理を実行するとしてよい。しかし、モバイルデバイスは、選択された固定デバイスにおけるネットワーク再加入が完了した後に、現在通信中の固定デバイスとの通信を停止するとしてよい。
【００４０】
図４は、ある実施形態に係る、一の周波数のままで周波数間走査を可能とするプログラミングロジック４００を示す図である。ロジックフロー４００は、本明細書に記載した１以上の実施形態で実行される処理を表したものであるとしてよい。ロジックフロー４００は、本明細書に記載した１以上の実施形態、例えば、図１および図２に図示したデバイス１１５、１２０、２２０のうちいずれか１つによって実行される処理を表したものであってよい。ロジックフロー４００に示すように、モバイルデバイスは、ブロック４０５において、第１の通信セッションの間に第１の周波数で第１の固定デバイスと通信するとしてよい。モバイルデバイスは、通信セッションの間に、１以上のフレームを受信するとしてよい。ある実施形態によると、プリアンブル、アップストリームパケット、および、ダウンストリームパケットを、第１の周波数で第１の固定デバイスから受信するとしてよい。
【００４１】
ブロック４１０において、第２の固定デバイスから、第１の周波数で１以上の第１のプリアンブルを受信するとしてよい。例えば、固定デバイスは、２つの第１のプリアンブルを受信するとしてよい。どちらのプリアンブルも第１の周波数で受信されるが、プリアンブル毎にシーケンスが異なるとしてよい。ある実施形態によると、プリアンブルは、シーケンスが異なるとしてよい。ある実施形態によると、プリアンブルは、シーケンスが同じであるとしてよい。ある実施形態によると、第２の固定デバイスは、第１の固定デバイスに近接した固定デバイスであるか、または、第１の固定デバイスに隣接した固定デバイスであるとしてよい。ある実施形態によると、第２の固定デバイスは、第２の周波数で動作するとしてよい。ある実施形態によると、第１の周波数は、第２の周波数とは異なるとしてよい。ある実施形態によると、第２の固定デバイスから受信する１以上の第１のプリアンブルのシーケンスは、第１の固定デバイスからの通信内容との間の干渉が発生しないか、または、最小限に抑えられているシーケンスであるとしてよい。ある実施形態によると、第２のデバイスが送信する１以上の第１のプリアンブルを対象とする走査は、第１の固定デバイスと通信している間に行われるとしてよい。
【００４２】
ある実施形態によると、第３の固定デバイスから第１の周波数で１以上の第２のプリアンブルを受信するとしてよい。ある実施形態によると、第３の固定デバイスは、第１の固定デバイスおよび／または第２の固定デバイスに近接した固定デバイスであるか、または、第１の固定デバイスおよび／または第２の固定デバイスに隣接した固定デバイスであるとしてよい。第３の固定デバイスは、第３の周波数で動作しているとしてよい。ある実施形態によると、第３の周波数は、第１の周波数または第２の周波数とは異なるとしてよい。ある実施形態によると、第３の固定デバイスから受信する１以上の第２のプリアンブルのシーケンスは、第１の固定デバイスからの通信内容との間の干渉が発生しないシーケンスであるとしてよい。ある実施形態によると、第３の固定デバイスから送信される１以上の第２のプリアンブルを対象とした走査は、第１の固定デバイスとの通信中に実行されるとしてよい。
【００４３】
ブロック４１５において、１以上の第１のプリアンブルに基づいてハンドオーバーを実行するとしてよい。ある実施形態によると、第１の固定デバイスから第２の固定デバイスへのハンドオーバーを実行するとしてよい。ある実施形態によると、第３の固定デバイスから第１の周波数で１以上の第２のプリアンブルを受信する場合、第１の固定デバイスから第３の固定デバイスへのハンドオーバーを実行するとしてもよい。ある実施形態によると、第１の固定デバイスから第３の固定デバイスへのハンドオーバーは、１以上の第１のプリアンブルおよび１以上の第２のプリアンブルに基づいて行われるとしてよい。ある実施形態によると、ハンドオーバーは、１以上の第１のプリアンブルおよび／または１以上の第２のプリアンブルについて、平均信号強度値、搬送波レベル対干渉／雑音比（ＣＩＮＲ）値および／または受信信号強度指標（ＲＳＳＩ）値を決定することを含むとしてよい。ある実施形態によると、１以上の第１のプリアンブルの平均信号強度値、ＣＩＮＲ値および／またはＲＳＳＩ値を、１以上の第２のプリアンブルの平均信号強度値、ＣＩＮＲ値および／またはＲＳＳＩ値と比較するとしてよい。
【００４４】
ある実施形態によると、ハンドオーバーを実行することは、第１の周波数から別の周波数へと変更することを含むとしてよい。ある実施形態によると、ハンドオーバーを実行することは、第２の通信セッションの周波数を第１の周波数から第２の周波数へと変更することを含むとしてよい。ある実施形態によると、ハンドオーバーを実行することは、第２の通信セッションの周波数を第１の周波数から第３の周波数へと変更することを含むとしてよい。ある実施形態によると、第２の通信セッションは、第２の周波数で開始されるとしてよい。ある実施形態によると、第２の通信セッションは、第３の周波数で開始されるとしてよい。周波数の変更によって、ハンドオーバーが完了するとしてよい。ある実施形態によると、第１の固定デバイスとの間で行われる第１の通信セッションは、終了するとしてよい。ある実施形態によると、ハンドオーバーが完了した後、第１の通信セッションを終了するとしてよい。
【００４５】
ある実施形態によると、モバイルデバイスは、現在通信中の固定デバイス、つまり、第１の固定デバイスを切り離して、５０ミリ秒を費やして、選択された固定デバイス、つまり、第２の固定デバイスに対するハンドオーバーを完了するとしてよい。この５０ミリ秒の間は、データ通信は実行されないとしてよい。しかし、データ前手順が第２の固定デバイスに提供されるとしてよい。ある実施形態によると、選択された固定デバイス、つまり、第２の固定デバイスとの間でデータ接続が再開される瞬間まで、現在通信中の固定デバイス、または、第１の固定デバイスとのデータ接続を失うことなく、ハンドオーバーを完了する選択肢もあるとしてよい。
【００４６】
実施形態を深く理解していただくべく、本明細書では具体的且つ詳細な内容を数多く記載した。しかし、当業者におかれては、上述の実施形態は記載した具体的且つ詳細な内容を採用することなく実施し得るものと理解されたい。また、公知の処理、構成要素および回路は、実施形態をあいまいにすることを避けるべく、詳細な説明を省略している。本明細書で開示した具体的且つ詳細な構造および機能の説明は、代表的なものであり、必ずしも実施形態の範囲を制限するものではないと考えられたい。
【００４７】
さまざまな実施形態は、ハードウェア素子、ソフトウェア素子、または、両方を組み合わせて実現されるとしてよい。ハードウェア素子の例には、プロセッサ、マイクロプロセッサ、回路、回路素子（例えば、トランジスタ、抵抗、キャパシタ、インダクタ等）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、ロジックゲート、レジスタ、半導体デバイス、チップ、マイクロチップ、チップセット等が含まれるとしてよい。ソフトウェアの例としては、ソフトウェア素子、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、方法、プロシージャ、ソフトウェアインターフェース、アプリケーションプログラムインターフェース（ＡＰＩ）、命令セット、コンピューティングコード、コンピュータコード、コードセグメント、コンピュータコードセグメント、ワード、値、シンボル、または、これらの任意の組み合わせが含まれるとしてよい。実施形態をハードウェア素子および／またはソフトウェア素子を用いて実現するか否かの判断は、所望の演算速度、電力レベル、耐熱性、処理サイクルバジェット、入力データ速度、出力データ速度、メモリリソース、データバス速度、および、その他の構成上の制約または性能上の制約等、任意の数の要因に応じて決まるとしてよい。
【００４８】
一部の実施形態は、「結合」および「接続」という用語を用いて説明しているものがある。「結合」および「接続」は、互いに同義語として用いられているものではない。例えば、一部の実施形態の説明では、「接続」および／または「結合」という用語を用いて２以上の構成要素が物理的または電気的に直接接触していることを意味しているとしてよい。しかし、「結合」という用語は、２以上の構成要素が互いに直接接触していないが、両者間で協働しているか、または、やり取りは行っていることも意味するとしてよい。
【００４９】
一部の実施形態は、例えば、命令または命令群を格納するコンピュータ可読媒体または物品を用いて実現されるとしてよい。当該命令または命令群は、コンピュータによって実行されると、実施形態に係る方法および／または処理をコンピュータに実行させるとしてよい。このようなコンピュータは、例えば、任意の適切な処理プラットフォーム、コンピューティングプラットフォーム、コンピューティングデバイス、処理デバイス、コンピューティングシステム、処理システム、コンピュータ、プロセッサ等を含むとしてよく、ハードウェアおよび／またはソフトウェアを任意の適切な方法で組み合わせることによって実現するとしてもよい。コンピュータ可読媒体または物品は、例えば、任意の適切な種類のメモリユニット、メモリデバイス、メモリ物品、メモリ媒体、格納デバイス、格納物品、格納媒体および／またはストレージユニットを含むとしてよく、例えば、メモリ、取り外し可能な媒体または取り外し不可能な媒体、消去可能な媒体または消去不可能な媒体、書き込み可能な媒体または書き換え可能な媒体、デジタル媒体またはアナログ媒体、ハードディスク、フロッピー（登録商標）ディスク、コンパクトディスクリードオンリーメモリ（ＣＤ−ＲＯＭ）、コンパクトディスクリコーダブル（ＣＤ−Ｒ）、コンパクトディスクリライタブル（ＣＤ−ＲＷ）、光ディスク、磁気媒体、光磁気媒体、取り外し可能なメモリカードまたはメモリディスク、さまざまな種類のデジタル・バーサティル・ディスク（ＤＶＤ）、テープ、カセット等を含むとしてよい。命令は、任意の適切な種類のコード、例えば、ソースコード、コンパイラ型コード、インタプリタ型コード、実行可能コード、静的コード、動的コード、暗号化コード等を含むとしてよく、任意の適切な高度プログラミング言語、低級プログラミング言語、オブジェクト指向型プログラミング言語、ビジュアルプログラミング言語、コンパイラ型プログラミング言語および／またはインタプリタ型プログラミング言語を用いて実装するとしてよい。
【００５０】
特に明記していない限り、「処理」、「算出」、「計算」、「決定」等の用語は、レジスタおよび／またはメモリに格納されている物理量（例えば、電子的な量）として表現されるデータを操作および／または変換して、メモリ、レジスタ、または、その他の同様の情報格納装置、情報送信装置または情報表示装置に格納される物理量として同様に表現される別のデータを生成するコンピュータまたはコンピューティングシステム、または、同様の電子コンピューティングデバイスの動作および／またはプロセスを意味するものと考えられたい。実施形態はこれに限定されない。
【００５１】
構造上の特徴および／または方法を構成する動作に特有の用語を用いて主題を説明してきたが、請求項で定義されている主題は必ずしも上述した具体的な構造または動作に限定されるものではないと理解されたい。上述した具体的な特徴および動作は請求項を実現するための形態の一例として開示したものである。
【図１】
0005612103.tif 000002
【図２】
0005612103.tif 000003
【図３】
0005612103.tif 000004
【図４】
0005612103.tif 000005